(57)【要約】  クライアント端末による、回線交換アクセスネットワークのような非ＳＩＰ対応アクセスネットワークからＩＭＳサービスへのアクセスを促進する方法が提供される。当該方法は、クライアント端末から要求メッセージを受信する工程、要求メッセージの受信に応じて、クライアント端末に、複数のターミナル・アダプタの中から１つのターミナル・アダプタを割り当てる工程、割り当てられたターミナル・アダプタのアドレスを通知するメッセージをクライアント端末に送信する工程を備える。
2010508737.tif 000002
【特許請求の範囲】
【請求項１】
非ＳＩＰ対応アクセスネットワークからＩＭＳサービスへのクライアント端末によるアクセスを促進する方法であって、
前記クライアント端末から要求メッセージを受信する工程と、
前記要求メッセージの受信に応じて、前記クライアント端末に、複数のターミナル・アダプタの中から１つのターミナル・アダプタを割り当てる工程と、
割り当てられた前記ターミナル・アダプタのアドレスを通知するメッセージを前記クライアント端末に送信する工程と
を備えることを特徴とする方法。
【請求項２】
前記方法の各工程は、単一ノードにおいて実行されることを特徴とする請求項１に記載の方法。
【請求項３】
前記非ＳＩＰ対応アクセスネットワークは、回線交換アクセスネットワークであることを特徴とする請求項１または２に記載の方法。
【請求項４】
前記要求メッセージは、ユーザ装置を識別する識別子を含み、
前記方法は、前記識別子に基づいて前記ターミナル・アダプタを割り当てる工程を備えることを特徴とする請求項１乃至３のいずれか１項に記載の方法。
【請求項５】
前記識別子は、国際移動体装置識別番号（ＩＭＥＩ）及び媒体アクセス制御（ＭＡＣ）アドレスのいずれか１つが選択されることを特徴とする請求項４に記載の方法。
【請求項６】
前記複数のターミナル・アダプタは、ターミナル・アダプタのグループを含み、各グループは１つのユーザ端末タイプと関連していることを特徴とする請求項１乃至５のいずれか１項に記載の方法。
【請求項７】
前記複数のターミナル・アダプタは、ターミナル・アダプタのグループを含み、各グループは１つのサービスタイプと関連していることを特徴とする請求項１乃至６のいずれか１項に記載の方法。
【請求項８】
ターミナル・アダプタを割り当てる前に、加入者データベース及び端末データベースの少なくともいずれかに問い合わせを送信する工程と、
前記加入者データベース及び端末データベースの少なくともいずれかから応答を受信する工程と、
前記応答に基づいてターミナル・アダプタを選択する工程と
を備えることを特徴とする請求項１乃至７のいずれか１項に記載の方法。
【請求項９】
前記要求メッセージは、非構造付加サービスデータ（ＵＳＳＤ）を含み、該非構造付加サービスデータは、ＩＰマルチメディア・サブシステム中央サービスデータを含むことを特徴とする請求項１乃至８のいずれか１項に記載の方法。
【請求項１０】
クライアント端末とターミナル・アダプタとの間でメッセージをルーティングする方法であって、前記ターミナル・アダプタは、非ＳＩＰ対応ネットワークとＩＭＳネットワークとの間のインタフェースを提供し、
前記クライアント端末からＩＭＳ中央サービスノードへ、選択されたターミナル・アダプタのアドレスを含むメッセージを送信する工程と、
前記ＩＭＳ中央サービスノードから、前記ターミナル・アダプタのアドレスのターミナル・アダプタへ前記メッセージを送信する工程と
を備えることを特徴とする方法。
【請求項１１】
クライアント端末とターミナル・アダプタとの間でメッセージをルーティングする方法であって、前記ターミナル・アダプタは、非ＳＩＰ対応ネットワークとＩＭＳネットワークとの間のインタフェースを提供し、
前記クライアント端末から移動交換局／ビジタ・ロケーション・レジスタへメッセージを送信する工程と、
前記メッセージを、前記移動交換局／ビジタ・ロケーション・レジスタからホーム・ロケーション・レジスタのＩＭＳ中央サービスノードへ送信する工程と、
前記メッセージを前記ＩＭＳ中央サービスノードから選択されたターミナル・アダプタへ送信する工程と
を備えることを特徴とする方法。
【請求項１２】
ターミナル・アダプタをクライアント端末に割り当てるための通信ネットワーク内のノードであって、
前記クライアント端末から送信された要求メッセージを受信する手段と、
複数のターミナル・アダプタの中から１つのターミナル・アダプタを選択する手段と、
選択された前記ターミナル・アダプタのアドレスを含むメッセージを前記クライアント端末へ送信する手段と
を備えることを特徴とするノード。
【請求項１３】
前記要求メッセージは、前記クライアント端末を識別する識別子を含み、
前記ターミナル・アダプタを選択する手段は、前記ターミナル・アダプタを選択するために前記識別子を利用することを特徴とする請求項１２に記載のノード。
【請求項１４】
加入者データベース及び端末データベースの少なくともいずれかに問い合わせを送信する手段と、
前記加入者データベース及び端末データベースの少なくともいずれかから応答を受信する手段と
を備え、前記ターミナル・アダプタを選択する手段は、前記ターミナル・アダプタを選択するために前記応答を利用することを特徴とする請求項１２又は１３に記載のノード。
【請求項１５】
移動体通信ネットワークで利用される移動交換局／ビジタ・ロケーション・レジスタノードであって、
ターミナル・アダプタのアドレスを含むメッセージをクライアント端末から受信する手段と、
前記メッセージを前記ターミナル・アダプタのアドレスへ送信する手段と
を備えることを特徴とする移動交換局／ビジタ・ロケーション・レジスタノード。
【発明の詳細な説明】
【技術分野】
【０００１】
本発明は、通信ネットワークへアクセスするための方法及び装置に関する。本発明はまた、ユーザ装置が回線交換網からＩＰマルチメディア・サブシステム・ネットワークへアクセスすることを可能とするターミナル・アダプタの割当方法に関する。
【背景技術】
【０００２】
非構造付加サービスデータ（ＵＳＳＤ：Unstructured Supplementary Service Data）は、ＧＳＭ０２．９０（ＵＭＴＳ２２．０９０）及びＧＳＭ０３．９０（ＵＭＴＳ２３．０９０）で規定されている。それは、ＧＳＭ(Global System for Mobile Communications)ネットワークを介した情報の伝送をサポートするためにＧＳＭ標準に組み込まれる技術であって、ＵＭＴＳ（Universal Mobile Telecommunications Systems）技術にも利用できる。ＵＳＳＤは、ＧＳＭ／ＵＭＴＳの公衆陸上通信網（ＰＬＭＮ：Public Land Mobile Network）ベースのアプリケーションとユーザ装置（ＵＥ:User Equipment）との間の、テキストベースのユーザインタラクションを可能とする。
【０００３】
ＵＳＳＤメッセージは、ネットワーク、ＵＥ（ＵＥの語は、ここでは、移動局、ＭＳ、及び他の端末タイプを表す一般名として使用する。）或いはＵＥを利用する加入者により開始される。ネットワークが開始したＵＳＳＤメッセージにおいて、ネットワークは、ＵＥからの情報を要求してもよいし、或いは、テキスト文字列をＵＥに送って表示させても良い。図１を参照すると、３ＧＰＰ ＴＳ ２３．０７８及び特許文献１で記述されている、ＵＳＳＤメッセージの公知のルーティング方法の例が示されている。
【０００４】
ＵＳＳＤメッセージは、ＵＳＳＤメッセージを受信した際に行われるアクションを識別するサービスコード（ＳＣ）を含んでいる。ＵＥが開始したＵＳＳＤメッセージでは、ＳＣはＵＥ或いは加入者により生成され、数字、文字及びサインの少なくともいずれかを含む。ＵＥによって認識されないどんなＳＣも、ＵＥによりＵＳＳＤとして解釈される。例えば、レジストレーション／デレジストレーション／アクティベーション／デアクティベーション及び、Call Forwarding（着信転送） やCall Barring（出接続規制） のような付加的サービスの問い合わせのように、認識されたＳＣは、ＧＳＭ／ＵＭＴＳで規定された付加的サービス・オペレーション（ＳＳオペレーション:Supplementary Service Operations）にマッピングされる。
【０００５】
認識されなかったＳＣは、ＵＥからネットワーク上の移動交換局（ＭＳＣ:Mobile Switching Center）／ビジタ・ロケーション・レジスタ（ＶＬＲ）へＵＳＳＤメッセージにより送信される。ＭＳＣ／ＶＬＲは、ＳＣを分析するＵＳＳＤハンドラを含む。もしＵＳＳＤハンドラがＳＣを認識すれば、ＳＣがトリガーするアクションが実行される。即ち、もしＳＣに対応するアプリケーションがＭＳＣ／ＶＬＲ内に存在すれば、ＵＳＳＤハンドラが、ＵＳＳＤをそのアプリケーションに渡す。
【０００６】
もし、ＭＳＣ／ＶＬＲのＵＳＳＤハンドラが、ＳＣを認識しない場合、ＵＳＳＤメッセージは加入者のホーム・ロケーション・レジスタ（ＨＬＲ）に転送される。ＨＬＲも、ＳＣに対応するＨＬＲ内部アプリケーションが存在するか否かを判断するためにＳＣを分析するべくＵＳＳＤハンドラを備えている。もし該当するアプリケーションがあれば、ＵＳＳＤはそのアプリケーションに渡される。
【０００７】
もし、ＨＬＲのＵＳＳＤハンドラが、ＳＣを認識できない場合、ＨＬＲはＵＧ−ＣＳＩ（USSD General CAMEL Service Information）をチェックして、ＳＣに対応するＨＬＲの外部アプリケーションが存在するかどうかを確認する。外部ノードへのアドレスは、ＵＧ−ＣＳＩ内にある。外部ノードへのアドレスは、各加入者について一意であっても良いし、加入者グループについて一意であっても良い、或いは、当該ＨＬＲを利用する全加入者について同一であってもよい。ＵＳＳＤアプリケーションを提供する外部ノードは、例えば、ＧＳＭサービス制御機能（gsmSCF）、（例えば、今日のニュースや天気予報のような）情報サービス、或いは、ＳＳ７のＵＳＳＤフォーマットと、（例えば、ウェブサービス／ＳＯＡＰベースのプロトコルのような）ＩＰ上で搬送されるプロトコルとの間の変換器であってもよい。
【０００８】
特許文献２は、図２に示すような最適化されたＵＳＳＤのルーティングについて記載する。ここでは、ＵＳＳＤメッセージを受信したＭＳＣ／ＶＬＲは、当該メッセージを直接にＰＬＭＮ外部ノードへルーティングすることができる。
【０００９】
ＩＭＳ集中サービス(ＩＣＳ：IMS Centralised Services)は、３ＧＰＰリリース８に記述されており、回線交換（ＣＳ）網を含む異なるタイプのアクセスネットワークを利用した、提供されるＩＭＳサービスへのアクセスを可能としている。ＩＭＳネットワーク内にはサービスエンジンが存在し、ＣＳネットワークは、ＩＭＳサービスへアクセスするためにだけ利用される。ＣＳネットワークからＩＭＳサービスへのアクセスを提供する一つの方法は、ＩＭＳ端末をエミュレートするターミナル・アダプタ（ＴＡ）を利用することである。ＴＡは、一方で接続端末と通信し、他方でＩＭＳサービスエンジンと通信する。ＴＡはＵＳＳＤで搬送されるプロトコルとＩＭＳで利用されているＳＩＰ／ＸＣＡＰシグナリングとの間のゲートウェイとして効果的に動作する。よって、例えばＴＡは、ピアＵＥとセッションを開始するためにＵＳＳＤメッセージをＳＩＰ ＩＮＶＩＴＥメッセージに“変換”してもよい。ＩＣＳ加入者は、どんなＣＳ ＰＬＭＮにもローミングすることが可能であり、ＩＣＳ機能があってもなくても良い。よって、旧来のＩＣＳ機能を持たないネットワーク、及び、ＩＣＳ機能を有するネットワークの両方の加入者に対する、ＴＡの割り当てを可能にすることは、望ましいことである。
【先行技術文献】
【特許文献】
【００１０】
【特許文献１】米国特許第５，７５２，１８８号明細書
【特許文献２】米国特許第６，３３０，４４５号明細書
【発明の概要】
【００１１】
発明の第１の側面によれば、非ＳＩＰ対応アクセスネットワークからＩＭＳサービスへのクライアント端末によるアクセスを促進する方法であって、
クライアント端末から要求メッセージを受信する工程と、
要求メッセージの受信に応じて、クライアント端末に、複数のターミナル・アダプタの中から１つのターミナル・アダプタを割り当てる工程と、
割り当てられたターミナル・アダプタのアドレスを通知するメッセージをクライアント端末に送信する工程と
を備えることを特徴とする方法が提供される。
【００１２】
上記方法の各工程は、単一ノードにおいて実行されることが好ましい。
【００１３】
非ＳＩＰ対応アクセスネットワークは、回線交換アクセスネットワークであってもよい。
【００１４】
ターミナル・アダプタの割当てを補助するために、要求メッセージは、ユーザ装置を識別する識別子を含んでも良く、上記方法は当該識別子に基づいてターミナル・アダプタを割り当てる工程を備える。また、識別子は、国際移動体装置識別番号（ＩＭＥＩ）及び媒体アクセス制御（ＭＡＣ）アドレスのいずれか１つが選択されてもよい。
【００１５】
複数のターミナル・アダプタは、ターミナル・アダプタのグループを含むことができ、各グループは１つのユーザ端末タイプと関連している。
【００１６】
複数のターミナル・アダプタは、ターミナル・アダプタのグループを含むことができ、各グループは１つのサービスタイプと関連している。
【００１７】
上記方法は、好適には、ターミナル・アダプタを割り当てる前に、加入者データベース及び端末データベースの少なくともいずれかに問い合わせを送信する工程と、
加入者データベース及び端末データベースの少なくともいずれかから応答を受信する工程と、
当該応答に基づいてターミナル・アダプタを選択する工程とを備える。
【００１８】
好ましくは、上記の要求メッセージは非構造付加サービスデータ（ＵＳＳＤ）を含み、該非構造付加サービスデータはＩＰマルチメディア・サブシステム中央サービスデータを含む。
【００１９】
発明の第２の側面によれば、クライアント端末とターミナル・アダプタとの間でメッセージをルーティングする方法であって、ターミナル・アダプタは、非ＳＩＰ対応ネットワークとＩＭＳネットワークとの間のインタフェースを提供し、
クライアント端末からＩＭＳ中央サービスノードへ、選択されたターミナル・アダプタのアドレスを含むメッセージを送信する工程と、
ＩＭＳ中央サービスノードから、ターミナル・アダプタのアドレスのターミナル・アダプタへメッセージを送信する工程と
を備えることを特徴とする方法が提供される。
【００２０】
発明の第３の側面によれば、クライアント端末とターミナル・アダプタとの間でメッセージをルーティングする方法であって、ターミナル・アダプタは、非ＳＩＰ対応ネットワークとＩＭＳネットワークとの間のインタフェースを提供し、
クライアント端末から移動交換局／ビジタ・ロケーション・レジスタへメッセージを送信する工程と、
メッセージを、移動交換局／ビジタ・ロケーション・レジスタからホーム・ロケーション・レジスタのＩＭＳ中央サービスノードへ送信する工程と、
メッセージをＩＭＳ中央サービスノードから選択されたターミナル・アダプタへ送信する工程と
を備えることを特徴とする方法が提供される。
【００２１】
発明の第４の側面によれば、ターミナル・アダプタをクライアント端末に割り当てるための通信ネットワーク内のノードであって、
クライアント端末から送信された要求メッセージを受信する手段と、
複数のターミナル・アダプタの中から１つのターミナル・アダプタを選択する手段と、
選択されたターミナル・アダプタのアドレスを含むメッセージをクライアント端末へ送信する手段とを備えることを特徴とするノードが提供される。
【００２２】
上記の要求メッセージは、クライアント端末を識別する識別子を含んでいてもよく、ターミナル・アダプタを選択する手段は、ターミナル・アダプタを選択するために当該識別子を利用することができる。
【００２３】
上記のノードはさらに、加入者データベース及び端末データベースの少なくともいずれかに問い合わせを送信する手段と、
前記加入者データベース及び端末データベースの少なくともいずれかから応答を受信する手段と
を備え、前記ターミナル・アダプタを選択する手段は、前記ターミナル・アダプタを選択するために前記応答を利用する。
【００２４】
発明の第５の側面によれば、移動体通信ネットワークで利用される移動交換局／ビジタ・ロケーション・レジスタノードであって、
ターミナル・アダプタのアドレスを含むメッセージをクライアント端末から受信する手段と、
前記メッセージを前記ターミナル・アダプタのアドレスへ送信する手段と
を備えることを特徴とする移動交換局／ビジタ・ロケーション・レジスタノードが提供される。
【図面の簡単な説明】
【００２５】
【図１】ＵＳＳＤメッセージの公知のルーティングの例を示す図である。
【図２】ＵＳＳＤメッセージの公知のルーティングの更なる例を示す図である。
【図３】ＩＭＳネットワークへアクセスするためにターミナル・アダプタを利用するアクセスネットワークを示す図である。
【図４】回線交換ＰＬＭＮにおけるユーザ装置に対するターミナル・アダプタの割り当てを説明する図である。
【図５】ユーザ装置からターミナル・アダプタへのＵＳＳＤメッセージのルーティングを説明するための図である。
【図６】ユーザ装置からターミナル・アダプタへのＵＳＳＤメッセージの別のルーティングを説明するための図である。
【発明を実施するための形態】
【００２６】
図３を参照すると、ＩＭＳネットワークに接続するためにターミナル・アダプタを利用する回線交換（ＣＳ）アクセス・ネットワークが示されている。ＣＳ公衆陸上通信網（ＰＬＭＮ）のＩＭＳ集中サービス（ＩＣＳ）クライアントとして動作するユーザ装置（ＵＥ）は、移動体サービス交換局（ＭＳＣ）／ビジタ・ロケーション・レジスタ（ＶＬＲ）とホーム・ロケーション・レジスタ（ＨＬＲ）を介して、ＩＭＳネットワーク上、或いはその境界に存在するＩＣＳ−ターミナル・アダプタ（ＴＡ）へメッセージを送信する。ＵＥとＩＭＳネットワークとの間の全ての通信は、ＩＣＳ−ＴＡを介して行われる。
【００２７】
必要なときにＴＡを動的に割り当てることは望ましい。このためには、ＴＡをプールしておくことが必要であり、シグナリングが行われた場合は、加入者／端末へＴＡがそこから割り当てられる。静的な割当ては、動的な割当てに比較してより高価なものとなる。それは、ＴＡの非動作期間が長くなり、効率的な利用ができなくなるためである。
【００２８】
加入者は、異なるサービスに加入して、ある範囲の機能を有する端末ＩＭＳサービスにアクセスしても良い。よって、ＴＡを、端末及びサポートの必要なサービスのタイプに応じて、加入者／端末に割り当てることは利点がある。最新のＩＣＳ仕様のサポートを有する高機能端末は、例えば、シンプルな端末と比べた場合に、より高機能なＴＡを要求するであろう。高機能ＩＭＳサービスポートフォリオに加入している加入者は、同様により高機能なＴＡを要求するであろう。将来的なサービスや機能により、追加的なＴＡ機能が必要となるかも知れない。異なるサービスや端末が利用されるかも知れないので、必要とされる機能に応じて複数のＴＡがグループ化されてプールされる。ＴＡは、加入者／端末に対して、それらからの要求に応じて割り当てられる。
【００２９】
図４では、ＴＡのＣＳ−ＰＬＭＮ内のＵＥへの割り当てが説明されている。シグナリングは以下のようになる。
【００３０】
１．ＵＥのＩＣＳクライアントはネットワークにリクエストを送信して、ＩＣＳ呼のために利用可能であることを登録する。例として、ＵＳＳＤサービスコード（ＳＣ）２２はこれを示すために利用されるが、ＳＣはどのような値をとってもよい。要求は、ＭＳＣ／ＶＬＲ及びＨＬＲを介して、通常のＵＳＳＤルーティングを利用してＩＣＳ−ＴＡアロケータへ転送される。
【００３１】
２．このメッセージはＴＡ−アロケータにより受信される。ＴＡ−アロケータは端末ＩＤをチェックし、当該端末ＩＤはどのタイプのＴＡが要求されているかを判断するために利用される。端末ＩＤは、例えば、端末から受信した国際移動体装置識別番号（ＩＭＥＩ：International Mobile Equipment Identity）であってもよい。また、ＭＡＣ（Medium Access Control）アドレスが端末ＩＤとして利用されてもよい。この場合、端末はＭＡＣアドレスをメッセージ送信前に取得する必要があろう。
【００３２】
３．ＴＡ−アロケータは、例えば、ユーザ装置の機能や、ユーザが加入しているサービスに基づいて、どんなタイプのＴＡが要求されているかを判断するために、端末データベースや、ＨＳＳ（Home Subscriber Server）のような加入者データベースといった外部データベースに問い合わせをしても良い。ＨＳＳに対する問い合わせは、Non-Transparent Shでも、Transparent Shでも、その両方であってもよい。
【００３３】
４．あるタイプのＴＡは、ステップ２及び３における問い合わせに基づいて割り当てられる。ＴＡの割当ては、ネットワーク負荷に依存するものであってもよい。ＴＡ−アロケータは、割り当てられたＴＡがネットワーク始動のＵＳＳＤダイアログを開始できるようにするために、ＨＬＲアドレス及びＭＳＣ／ＶＬＲアドレスを割り当てられたＴＡに転送する。
【００３４】
５．割り当てられたＴＡのアドレスは、ＵＥ内のＩＣＳクライアントに通知される。
【００３５】
ＴＡが一度ＵＥに割り当てられると、ＵＥ内のＩＣＳクライアントから送信されたどんなメッセージもＴＡのアドレスを含むことになる。ＴＡへのＵＳＳＤのルーティングは、ＩＣＳサポートのあるＣＳネットワークにおいて、できるだけ効果的に実行されるべきであり、また、ＩＣＳサポートのないネットワークにおいても利用可能であるべきである。
【００３６】
図５は、ＭＳＣがＩＣＳ−Ｒ（ＩＣＳルーティング）機能によりアップグレードされた場合の、最適化されたルーティングを示す。ＩＣＳ−ＲはＵＳＳＤアプリケーションであって、特定のＳＣ（例えば２３であるが、ＳＣ値はどんな値であっても良い。）を有するＵＳＳＤメッセージを解釈する。ＩＣＳ−Ｒは、ＵＥにより挿入されたメッセージ内のＴＡアドレス（これはＴＡ−アロケータにより返信されたＴＡアドレスである。）を取得する。ＴＡ−アドレスは、加入者のＨＬＲを介することなく、ＵＳＳＤメッセージをＴＡに直接にルーティングするためにＩＣＳ−Ｒにより利用される。ＩＣＳ−ＲはこのメッセージをＳＳ７または、例えばウェブベースプロトコルのようなＩＰベースプロトコルでリレーすることができる。両者において、ＴＡがネットワーク始動の動作を開始できるようにするために、ＭＳＣアドレスが含まれる。ＨＬＲをバイパスすることにより、メッセージをより効率的に送信することができる。
【００３７】
ＵＳＳＤメッセージはまた、ＩＣＳアクティビティコードを含み、また他のパラメータを任意に含む。これらは、ＵＳＳＤ内で搬送されるＩＣＳプロトコルに対応する。ＩＣＳアクティビティは、例えば、“通話保留”、“通話再開”、“着信転送番号の登録”等がある。
【００３８】
ＵＳＳＤルーティングはまた、ＩＣＳ機能を有していない旧来のネットワークにおいても利用可能であるべきである。ＭＳＣ／ＶＬＲがＩＣＳ−Ｒ機能によりアップグレードされていない場合、ＨＬＲを介した通常のＵＳＳＤルーティングが利用される。ＵＥがＵＳＳＤメッセージをＭＳＣ／ＶＬＲへ送信し、（ＳＣを認識しないために）ＭＳＣ／ＶＬＲが当該ＵＳＳＤメッセージを認識しない場合、ＭＳＣ／ＶＬＲはメッセージを加入者ＨＬＲへ転送する。加入者ＨＬＲは、ＩＣＳ−Ｒ機能を有するので、ＵＳＳＤメッセージで送信されたデータ及び特にサービスコードを解釈することが可能である。ＨＬＲは、メッセージ内のＴＡ−アドレスを読んで、ＵＳＳＤメッセージをＳＳ７又はＩＰ上でＴＡへ転送する。
【００３９】
当業者であれば、発明の範囲から逸脱することなく上記の実施形態に対して様々な修正が可能であることを理解するであろう。例えば、上記記載はＣＳネットワークからのＩＭＳネットワークへのアクセスに関連している。しかしながら、上記記載をいかなる非ＳＩＰ対応ネットワークからＩＭＳネットワークへのアクセスにも適用することができる。さらに、上述の内容はＵＥに関連しているが、本発明は、非ＳＩＰ対応ネットワークからＩＭＳネットワークへアクセスする、あらゆるクライアント端末に対して適用可能である。
【図１】
2010508737.tif 000003
【図２】
2010508737.tif 000004
【図３】
2010508737.tif 000005
【図４】
2010508737.tif 000006
【図５】
2010508737.tif 000007
【図６】
2010508737.tif 000008
【国際調査報告】
2010508737.tif 000009
2010508737.tif 000010
2010508737.tif 000011
2010508737.tif 000012
2010508737.tif 000013